(57)【要約】【課題】後処理する用紙のサイズに応じて、適切に用紙を整合することができる用紙処理装置を提供する。【解決手段】画像形成装置から搬送された用紙に後処理を施す後処理部と、用紙を後処理部に搬送しその搬送路に配置した可動ストッパに用紙の端縁を突き当てて用紙を搬送方向に整合する縦整合部と、用紙を搬送方向に沿う両サイドから可動式の一対の整合板で挟み用紙を搬送方向と直交する方向に整合する横整合部を備え、さらに用紙のサイズに応じてストッパの位置を切り換え、用紙をストッパに突き当てたときに用紙の中央部に近い両サイドに整合板が位置するように制御する制御部を備え、整合された用紙に対して後処理を施す。【選択図】図７
2008189470.tif 000002
【特許請求の範囲】
【請求項１】
画像形成装置から搬送された用紙に後処理を施す用紙処理装置であって、
前記画像形成装置から搬送された用紙に後処理を施すための後処理部と、
前記用紙を前記後処理部に向かう第１の方向に搬送し、その搬送路に配置した可動ストッパに前記用紙の端縁を突き当てて前記用紙を搬送方向に整合する第１の整合部と、
前記用紙を前記第１の方向に沿う両サイドから可動式の一対の整合板で挟み、前記用紙を前記搬送方向と直交する方向に整合する第２の整合部と、
前記用紙のサイズに応じて前記ストッパの位置を切り換え、前記用紙を前記ストッパに突き当てたとき、前記用紙の中央部に近い両サイドに前記一対の整合板が位置するように制御する制御部と、を具備し、
整合された前記用紙に対して前記後処理部で後処理を施すことを特徴とする用紙処理装置。
【請求項２】
前記後処理部はステイプラであり、前記整合された用紙に対してステイプルを施すことを特徴とする請求項１記載の用紙処理装置。
【請求項３】
前記後処理部は、前記一対の整合板を記用紙の搬送方向と直交する方向にシフトして整合された前記用紙をソートするソータで成ることを特徴とする請求項１記載の用紙処理装置。
【請求項４】
前記制御部は、前記画像形成装置に設けた操作部からの入力情報に基いて前記用紙のサイズを判別し、判別した用紙サイズに応じて前記ストッパの位置を切り換えることを特徴とする請求項１記載の用紙処理装置。
【請求項５】
画像形成装置から搬送された用紙に後処理を施す用紙処理装置であって、
前記画像形成装置から搬送された用紙を載置可能な処理トレイと、
前記処理トレイに載置された用紙に後処理を施すための後処理部と、
前記処理トレイ上の前記用紙を前記後処理部に向かう第１の方向に搬送し、前記第１の方向と直交するように配置した可動ストッパに前記用紙の端縁を突き当てて前記用紙を縦方向に整合する第１の整合部と、
前記用紙を前記第１の方向に沿う両サイドから挟む可動式の一対の整合板を含み、前記用紙を横方向に整合する第２の整合部と、
前記用紙のサイズに応じて前記ストッパの位置を切り換え、前記用紙を前記ストッパに突き当てたときに前記用紙の中央部に近い両サイドに前記一対の整合板が位置するように制御し、前記整合された前記用紙に後処理を施すように前記後処理部を制御する制御部と、
前記前記後処理部で後処理された用紙を排出する用紙排出部と、から成ることを特徴とする用紙処理装置。
【請求項６】
前記後処理部は前記用紙の端縁に沿って移動可能なステイプラでなり、
前記制御部は、前記縦方向に整合された前記用紙の端縁の位置と前記ステイプラの位置がずれている場合に、前記ストッパの位置を切り換えて前記用紙の端縁の位置を前記ステイプラの位置に合うように制御することを特徴とする請求項５記載の用紙処理装置。
【請求項７】
前記後処理部は、前記用紙のコーナ部にステイプルを施す固定式のステイプラでなり、
前記制御部は、前記縦方向に整合された前記用紙の前記コーナ部と前記ステイプラの位置がずれている場合に、前記ストッパの位置を切り換えて前記用紙の端縁の位置を前記ステイプラの位置に合うように制御し、
前記第２の整合部は、前記一対の整合板を移動させて前記用紙を前記ステイプラに導くことを特徴とする請求項５記載の用紙処理装置。
【請求項８】
前記制御部は、前記画像形成装置に設けた操作部からの入力情報に基いて前記後処理部で処理する用紙のサイズを判別し、判別した用紙のサイズに応じて前記ストッパの位置を切り換えることを特徴とする請求項５記載の用紙処理装置。
【請求項９】
画像形成装置から搬送された用紙に後処理を施す用紙処理方法であって、
前記画像形成装置から搬送された用紙を処理トレイに載置し、
前記処理トレイ上の前記用紙を後処理部に向かう第１の方向に搬送し、前記第１の方向と直交するように配置した可動ストッパに前記用紙の端縁を突き当てて前記用紙を縦方向に整合し、
前記用紙を前記第１の方向に沿う両サイドから可動式の一対の整合板で挟んで前記用紙を横方向に整合し、
前記用紙サイズに応じて前記ストッパの位置を切り換え、前記用紙を前記ストッパに突き当てたときに前記用紙の中央部に近い両サイドに前記一対の整合板が位置するように制御し、
前記整合された前記用紙に前記後処理部で後処理を施して前記用紙を排出することを特徴とする用紙処理方法。
【請求項１０】
前記後処理部は前記用紙の端縁に沿って移動可能なステイプラでなり、前記縦方向に整合された前記用紙の端縁の位置と前記ステイプラの位置がずれている場合に、前記ストッパの位置を切り換えて前記用紙の端縁の位置を前記ステイプラの位置に合うように制御することを特徴とする請求項９記載の用紙処理方法。
【請求項１１】
前記後処理部は、前記用紙のコーナ部にステイプルを施す固定式のステイプラでなり、前記縦方向に整合された前記用紙の前記コーナ部と前記ステイプラの位置がずれている場合に、前記ストッパの位置を切り換えて前記用紙の端縁の位置を前記ステイプラの位置に合うように制御し、前記一対の整合板を移動させて前記用紙を前記ステイプラに導くことを特徴とする請求項９記載の用紙処理方法。
【発明の詳細な説明】
【技術分野】
【０００１】
本発明は、複写機やプリンタ、複合機（ＭＦＰ）等の画像形成装置から排出される用紙の後処理を行う用紙処理装置及び用紙処理方法に関する。
【背景技術】
【０００２】
近年、画像形成装置にあっては、画像形成後の用紙をソートしたり、用紙にステイプル処理を施す等の後処理を行うために、画像形成装置本体に用紙後処理装置を隣接して設けたものがある。
【０００３】
特許文献１には、用紙後処理装置が記載されている。この例では、用紙サイズに応じて整合位置とステイプラを移動可能にしているが構造が非常に複雑である。
【特許文献１】特開２００３−１１８９２８号公報
【発明の開示】
【発明が解決しようとする課題】
【０００４】
画像形成装置にあっては、用紙の後処理を行うために画像形成装置本体に用紙後処理装置を隣接して設けたものがある。特許文献１の例では、用紙サイズに応じて整合位置とステイプラを移動可能にしているが構造が非常に複雑である。
【０００５】
本発明は、後処理する用紙のサイズに応じて、適切に用紙を整合することができる用紙処理装置を提供することを目的とする。
【課題を解決するための手段】
【０００６】
請求項１記載の本願発明は、画像形成装置から搬送された用紙に後処理を施す用紙処理装置であって、前記画像形成装置から搬送された用紙に後処理を施すための後処理部と、前記用紙を前記後処理部に向かう第１の方向に搬送し、その搬送路に配置した可動ストッパに前記用紙の端縁を突き当てて前記用紙を搬送方向に整合する第１の整合部と、前記用紙を前記第１の方向に沿う両サイドから可動式の一対の整合板で挟み、前記用紙を前記搬送方向と直交する方向に整合する第２の整合部と、前記用紙のサイズに応じて前記ストッパの位置を切り換え、前記用紙を前記ストッパに突き当てたとき、前記用紙の中央部に近い両サイドに前記一対の整合板が位置するように制御する制御部と、を具備し、整合された前記用紙に対して前記後処理部で後処理を施すことを特徴とする。
【０００７】
また請求項５記載の本願発明は、画像形成装置から搬送された用紙に後処理を施す用紙処理装置であって、前記画像形成装置から搬送された用紙を載置可能な処理トレイと、前記処理トレイに載置された用紙に後処理を施すための後処理部と、前記処理トレイ上の前記用紙を前記後処理部に向かう第１の方向に搬送し、前記第１の方向と直交するように配置した可動ストッパに前記用紙の端縁を突き当てて前記用紙を縦方向に整合する第１の整合部と、前記用紙を前記第１の方向に沿う両サイドから挟む可動式の一対の整合板を含み、前記用紙を横方向に整合する第２の整合部と、前記用紙のサイズに応じて前記ストッパの位置を切り換え、前記用紙を前記ストッパに突き当てたときに前記用紙の中央部に近い両サイドに前記一対の整合板が位置するように制御し、前記整合された前記用紙に後処理を施すように前記後処理部を制御する制御部と、前記前記後処理部で後処理された用紙を排出する用紙排出部と、から成ることを特徴とする。
【０００８】
さらに請求項９記載の本願発明は、画像形成装置から搬送された用紙に後処理を施す用紙処理方法であって、前記画像形成装置から搬送された用紙を処理トレイに載置し、前記処理トレイ上の前記用紙を後処理部に向かう第１の方向に搬送し、前記第１の方向と直交するように配置した可動ストッパに前記用紙の端縁を突き当てて前記用紙を縦方向に整合し、前記用紙を前記第１の方向に沿う両サイドから可動式の一対の整合板で挟んで前記用紙を横方向に整合し、前記用紙サイズに応じて前記ストッパの位置を切り換え、前記用紙を前記ストッパに突き当てたときに前記用紙の中央部に近い両サイドに前記一対の整合板が位置するように制御し、前記整合された前記用紙に前記後処理部で後処理を施して前記用紙を排出することを特徴とする。
【発明の効果】
【０００９】
本発明の実施形態によれば、スモールサイズの用紙であっても、ラージサイズの用紙であっても整合が乱れることなく、正確な整合と、ステイプル又はソートを実施可能な用紙処理装置を提供することができる。
【発明を実施するための最良の形態】
【００１０】
以下、この発明の一実施の形態について図面を参照して詳細に説明する。尚、各図において同一箇所については同一の符号を付して説明する。
【実施例１】
【００１１】
図１は、複写機等の画像形成装置１に隣接配置した用紙後処理装置２を示す概略構成図である。画像形成装置１によって画像が形成された用紙Ｐは、排出ローラ４から排出され、用紙後処理装置２に搬送される。排出ローラ４は上ローラ４ａと下ローラ４ｂから成る。
【００１２】
用紙後処理装置２は、待機トレイ１０、処理トレイ１２、ステイプラ１４、第1の排紙トレイ１６、第２の排紙トレイ１８、固定トレイ２０を有している。
【００１３】
画像形成装置１の排出ローラ４によって排出された用紙Ｐは、用紙後処理装置２の搬入口付近に設けた入口ローラ２２で受け取られる。入口ローラ２２は、上ローラ２２ａ、下ローラ２２ｂから成り、モータ（図示せず）で駆動される。
【００１４】
入口ローラ２２の下流側には、給紙ローラ２４が設けられ、入口ローラ２２で受け取った用紙Ｐは、給紙ローラ２４を介して待機トレイ１０に送られる。入口ローラ２２から待機トレイ１０までの間には、用紙Ｐを給紙ローラ２４に導くためのペーパーパス２３が設けられている。給紙ローラ２４は上ローラ２４ａと下ローラ２４ｂから成る。
【００１５】
待機トレイ１０の下方には、待機トレイ１０上から落下した用紙Ｐを積載する処理トレイ１２が配置されている。待機トレイ１０は、用紙Ｐを積載するとともに、開放可能な構造になっており、所定の枚数の用紙Ｐが蓄積されると、待機トレイ１０は開き、用紙Ｐは自重、あるいは強制的に落下させる落下補助部材の作動により処理トレイ１２に落下する。処理トレイ１２は、後処理部であるステイプラ１４により用紙Ｐをステイプルする間、用紙Ｐを整合して支持する。
【００１６】
処理トレイ１２に落下した用紙は、ローラ２８によってステイプラ１４に導かれ、ステイプル処理を行う。ローラ２８は上ローラ２８ａと下ローラ２８ｂから成る。ステイプル処理する場合、待機トレイ１０から処理トレイ１２に落下した複数枚の用紙Ｐは、搬送方向である縦方向に整合され、かつ搬送方向と直交する横方向に整合された上でステイプル処理される。
【００１７】
また、用紙Ｐが処理トレイ１２に落下する際、用紙Ｐの後端が落下する位置には回転可能なパドル４０が配置されている。
【００１８】
パドル４０は、回転軸２６に取り付けられ、待機トレイ１０から落下してくる用紙Ｐを処理トレイ１２上にはたき落とし、用紙Ｐをステイプラ１４の方向に送るものである。パドル４０の詳細については図４に示しており後述する。
【００１９】
処理トレイ１２のステイプラ１４側の端部には、用紙Ｐの後端位置を規制するストッパ４５が設けられている。また、ソート処理又はステイプル処理された用紙Ｐを第１の排紙トレイ１６あるいは第２の排紙トレイ１８まで搬送する搬送ベルト５０が設けられている。
【００２０】
搬送ベルト５０は、プーリ３６と３８の間に架けられ、搬送ベルト５０には用紙Ｐの後端を引っ掛けて送る爪部材５０ａが取り付けられている。ローラ２８の下ローラ２８ｂは、プーリ３８と同軸上に配置され、ローラ２８は整合した用紙をステイプラ１４の方向に導くときと、ステイプル処理された用紙Ｐを排出するときとで逆方向に回転する。
【００２１】
また、プーリ３６は軸３４に取り付けられ、この軸３４には複数の排出ローラ３０が回転可能に取り付けられている。
【００２２】
搬送ベルト５０によって搬送された用紙Ｐは、排出口１００から第１の排紙トレイ１６あるいは第２の排紙トレイ１８に排出され、第１の排紙トレイ１６と第２の排紙トレイ１８は駆動部（図示せず）により昇降され用紙Ｐを受け取る。
【００２３】
また、待機トレイ１０に積載した用紙Ｐをステイプル処理することなく、第１の排紙トレイ１６あるいは第２の排紙トレイ１８に排出する場合もある。この場合は、用紙Ｐを処理トレイ１２に落下させずにローラ３２によって排出する。
【００２４】
また、後処理を要しない用紙Ｐは固定トレイ２０へ排出することもできる。用紙Ｐを固定トレイ２０へ導くために搬送路が設けられているが、図示は省略する。  
図２は、用紙後処理装置２の要部の斜視図であり、図１の矢印ｘ方向から見た図である。
【００２５】
図２において、軸３４は、用紙Ｐの搬送方向に直交して配置されており、軸３４の中間部にはプーリ３６が取り付けられ、このプーリ３６にベルト５０が架けられている。排出ローラ３０は、軸３４の中央部と両サイドに取り付けられている。排出ローラ３０は駆動部によって回転制御され、用紙Ｐをトレイ１６または１８に排出する際に回転する。
【００２６】
図３は、用紙Ｐの縦整合用のローラ２８、パドル４０、及び搬送ベルト５０の構成を示す概略斜視図である。図３で示すように、搬送ベルト５０は、プーリ３６と３８の間に架けられ、モータ５６によって回転駆動され、用紙の排出方向に沿ってステイプラ１４と用紙排出口１００（図１）との間で循環的に回転移動する。
【００２７】
また搬送ベルト５０には、用紙束Ｔの後端を引っ掛ける送り爪５０ａが取り付けられており、搬送ベルト５０の回転によって送り爪５０ａは後処理した用紙Ｐまたは用紙束を排出口１００に向けて搬送する。
【００２８】
用紙Ｐを排紙トレイ１６、１８の方向へ搬送する際、搬送ベルト５０は矢印ｔ方向に移動し、縦整合用の上ローラ２８ａ及び下ローラ２８ｂが図４の矢印ｒ方向及びｓ方向に回転する。縦整合用の上ローラ２８ａはモータ５８によって回転駆動され、下ローラ２８ｂは、搬送ベルト５０を駆動するモータ５６によって回転駆動される。
【００２９】
パドル４０は、回転軸２６に複数個取り付けられており、回転軸２６はモータ５４によって回転駆動される。或いはモータの回転力をギヤ機構を介して回転軸２６に伝えるようにしても良い。
【００３０】
図４は、パドル４０の構成と動作を説明する図である。パドル４０は、回転軸２６に取付部材４４が取り付けられ、取付部材４４には、待機トレイ１０に入った用紙Ｐの後端を受ける受け部４１と、処理トレイ１２上に用紙Ｐをはたき落とすはたき部４２と、処理トレイ１２上の用紙Ｐをステイプラ１４の方向に送る送り部４３とを含んでいる。パドル４０のはたき部４２、送り部４３は、ゴム材から成り弾性を有している。
【００３１】
パドル４０は、回転軸２６を中心にしてｙ方向に回転し、受け部４１で受けた用紙Ｐの後端を、はたき部４２で処理トレイ１２上にはたき落とし、送り部４３でステイプラ１４の方向に送る。
【００３２】
処理トレイ１２上の用紙Ｐをステイプラ１４の方向（矢印ｑ）に送る場合、ローラ２８の上ローラ２８ａは反時計回りに回転し、下ローラ２８ｂは時計回りに回転する。処理トレイ１２上の用紙Ｐを排出する場合には、上ローラ２８ａは矢印ｒ方向に回転し、下ローラ２８ｂは矢印ｓ方向に回転する。
【００３３】
また、パドル４０は、図２からも分かるように、回転軸２６に複数個取り付けられている。さらに、用紙を処理トレイ１２に導くためにガイド部材５２を設けている。ガイド部材５２は、搬送される用紙Ｐの後端をステイプラ１４側へ引き込む際のガイドとなる。
【００３４】
図５及び図６は、待機トレイ１０と処理トレイ１２を概略的に示したもので、待機トレイ１０は、一対のトレイ部材１０ａ、１０ｂを備え、用紙Ｐの幅までスライドした状態で用紙Ｐを受け取り、用紙Ｐの両側を支持する。トレイ部材１０ａ、１０ｂには用紙Ｐの後端を規制する待機ストッパ１０ｃ、１０ｄが設けられている。
【００３５】
待機トレイ１０は、モータ（図示せず）により矢印ｍ，ｎ方向にスライド移動される。待機トレイ１０から処理トレイ１２に達するまでの間には、待機トレイ１０上の用紙Ｐを処理トレイ１２に落下供給する際に、用紙Ｐが、搬送方向と直交する横方向に乱れることがある。
【００３６】
このため図７に示すように、用紙Ｐの乱れを防止する横整合装置４６が設けられている。横整合装置４６は、一対の横整合板４７ａ、４７ｂを有し、横整合板４７ａ、４７ｂは、用紙Ｐの幅に合わせるようにモータ４８によってｖ方向にスライド可能であって、モータ４８によって整合位置を変えることができる。
【００３７】
また、横整合装置４６には、用紙Ｐの後端位置を規制するストッパ４５が設けられているが、このストッパ４５は、用紙Ｐの搬送方向（横整合板４７ａ、４７ｂのスライド方向ｖと直交する方向）にスライド可能である。ストッパ４５をスライドするためにストッパ制御部７２（図９参照）が設けられている。ストッパ制御部７２は、例えばステッピンクモータを駆動源とし、ストッパ４５を第１の位置ａ０と第２の位置ａ１間で所定距離Ｌ１だけスライドする。
【００３８】
ストッパ４５は、スモールサイズの用紙Ｐの後端を位置規制する場合、図７で示す第１の位置ａ０にあり、ラージサイズの用紙Ｐの後端を位置規制する場合、一転鎖線で示すようにスライドし第２の位置ａ１に移動する。第２の位置ａ１は用紙Ｐの排出方向と逆の奥方向に位置する。
【００３９】
ここで、スモールサイズの用紙Ｐは例えばＡ４サイズであり、ラージサイズの用紙Ｐは例えばＡ３サイズである。このように、ストッパ４５は、用紙サイズに応じて用紙を受け止める位置が変わるが、ステイプル処理する場合は、常に第１の位置ａ０に戻る。
【００４０】
また、横整合装置４６は、横整合板４７ａ、４７ｂをｖ方向にスライド制御することにより、用紙の位置をシフトすることができ、横整合板４７ａ、４７ｂは、用紙Ｐをソートして排出する際にも使用される。
【００４１】
図８（ａ）はステイプラ１４の構成を示す図である。ステイプラ１４は、モータ４９によりｕ方向にスライド可能であり、ステイプルする際は、用紙Ｐの後端部に沿って移動し所定の位置で、ステイプル処理を行う。尚、ステイプラ１４は１つだけで構成されるが、図８（ａ）ではスライドする前を１４とし、とスライド後の状態を１４’で示している。
【００４２】
図８（ｂ）は、ステイプラ１４の動きを説明する図である。ステイプラ１４は、図８（ａ）で示したようにモータ４９によりｕ方向にスライド可能であり、用紙Ｐのコーナ部を綴じる場合は、図８（ｂ）の実線又は一点鎖線で示す位置に移動してステイプル処理を行う。また用紙Ｐの端縁に沿った複数個所(例えば２箇所)を綴じる場合は、図８（ｂ）の点線で示す位置にそれぞれ移動してステイプル処理ＳＴを施す。
【００４３】
尚、上述した各種の機構を駆動するモータ４８，４９，５４，５６，５８等の駆動部は制御回路によって駆動制御される。
【００４４】
次に用紙後処理装置２による後処理の動作を、用紙の流れに沿って説明する。尚、後処理された用紙は排紙トレイ１６又は１８のいずれかに排出されるが、以下の説明では排紙トレイ１６に用紙を排出する場合を代表例として説明する。
【００４５】
入口ローラ２２からペーパーパス天井２３を介して搬送された用紙Ｐは、給紙ローラ２４によって待機トレイ１０上に給紙される。次いで用紙Ｐは、処理トレイ１２上に落下する。
【００４６】
用紙Ｐの落下時、縦整合用の上ローラ２８ａは上方に退避しており、パドル４０の受け部４１が用紙Ｐの後端を受ける。用紙Ｐの両側は、横整合板４７ａ，４７ｂに接触しながら落下して、横方向の整合が行われる。
【００４７】
次いでパドル４０は図４で示すように矢印ｙ方向に回転して、受け部４１から用紙Ｐの後端が落下し、用紙Ｐは、はたき部４２により処理トレイ１２上にはたき落とされる。更にパドル４０は、送り部４３により用紙Ｐを矢印ｑ方向に送り、用紙Ｐの後端をストッパ４５に当接して用紙Ｐの縦方向の整合を完了する。
【００４８】
このようにして、画像が形成された用紙Ｐを順次横方向及び縦方向に整合しながら、給紙ローラ２４から処理トレイ１２に導く。
【００４９】
ステイプル処理を行う場合、処理トレイ１２に積載した用紙Ｐが所定枚数に達したら、ステイプラ１４は所望の位置にて処理トレイ１２上の用紙Ｐにステイプルして用紙束を形成する。この後、図４に示すように、矢印ｒ方向に回転する上ローラ２８ａ、及び矢印ｓ方向に回転する下ローラ２８ｂにより用紙束を挟んで、排紙トレイ１６の方向に搬送する。
【００５０】
用紙束の後端は、ローラ２８ａ、２８ｂを通過すると、矢印ｔ方向に回転される搬送ベルト５０の送り爪５０ａに引っ掛けられ、排紙トレイ１６に向けて搬送され、その後、排出ローラ３０により排紙トレイ１６上に排出される。
【００５１】
また用紙は、横整合板４７ａ，４７ｂを操作することで幅方向にシフトすることができ、用紙をソートして排出することもできる。
【００５２】
以上は、用紙後処理装置２の全体の動作を説明したものであるが、次に本発明の特徴部分である用紙Ｐの整合部の構成について説明する。
【００５３】
図９は、後処理装置２を制御する制御系を示すブロック図である。図９において、６０は画像形成装置１の制御を行う制御部であり、例えばＣＰＵを含むマイクロプロセッサで構成されており、操作部６２の操作に応答して画像形成のために各部の制御を行う。
【００５４】
操作部６２は、各種のキー６４及びタッチパネル式の表示部６６を有している。例えばコピー部数等の指示は、キー６４を用いて行い、用紙サイズ、用紙種類、ステイプルの指示などは表示部６６のタッチパネルを操作して行う。
【００５５】
また、７０は用紙後処理装置２の制御を行う主制御部であり、例えばＣＰＵを含むマイクロプロセッサで構成されている。主制御部７０は、画像形成装置１の制御部６０と互いに情報の伝達を行い、画像形成の動作と用紙後処理装置２の動作が連携するように、用紙後処理のために各部の制御を行う。
【００５６】
また、主制御部７０は、ストッパ制御部７２、横整合制御部７４、縦整合制御部７６、ステイプル制御部７８、排出制御部８０等の制御を行う。
【００５７】
ストッパ制御部７２は、ストッパ４５の位置を制御し、横整合制御部７４は、モータ４８を駆動して横整合板４７ａ，４７ｂの位置を制御する。縦整合制御部７６は、パドル４０の回転、ローラ２８ａ，２８ｂの回転を制御して用紙Ｐの縦方向の位置を制御する。
【００５８】
ステイプル制御部７６は、モータ４９を駆動してステイプラ１４の位置を制御したり、ステイプラ１４によるステイプルを実施する。また排出制御部８０は、モータ５６を駆動して搬送ベルト５０の移動を制御して、用紙Ｐの排出を制御する。
【００５９】
次に図１０（ａ），図１０（ｂ）を参照して、用紙Ｐの整合処理とステイプル処理の動作を説明する。尚、ステイプルは用紙Ｐの後端２箇所に施す例を示す。
【００６０】
図１０（ａ）はスモールサイズ（例えばＡ４サイズ）の用紙が処理トレイ１２に載置された場合を示す。横整合板４７ａ，４７ｂの少なくとも一方を用紙Ｐの方向にスライドし、横整合板４７ａと４７ｂ間に用紙Ｐを挟んで用紙Ｐの両サイドから搬送方向と直交する方向（横方向）の整合を行う。図１０（ａ）では、横整合板４７ａを点線の位置から実線の位置に矢印ｖ１方向にスライドした状態を示している。
【００６１】
この状態で、用紙Ｐがｑ方向に搬送されると、ストッパ４５は用紙Ｐの後端Ｐ０の位置を規制し用紙Ｐを搬送方向（縦方向）に整合する。そしてステイプラ１４は実線の位置から矢印ｕ方向に移動しながら用紙ＰにステイプルＳＴを施す。ステイプル処理後、用紙Ｐは縦整合用のローラ２８ａ，２８ｂの回転や、搬送ベルト５０の移動によってｑ方向と逆方向に排出される。
【００６２】
図１０（ｂ）はラージサイズ（例えばＡ３サイズ）の用紙Ｐが処理トレイ１２に載置された場合を示す。この場合、横整合板４７ａと４７ｂ間に用紙Ｐを挟んで横方向の整合を行うが、ストッパ４５による用紙Ｐの規制位置が図１０（ａ）と同じであると、用紙Ｐの前端Ｐ１が振られて整合性が悪くなる。即ち、ラージサイズの用紙Ｐに対する横方向の整合位置が、用紙Ｐの後端Ｐ０に近いためである。
【００６３】
そこで、図１１（ａ）で示すように、本発明ではラージサイズの用紙Ｐをステイプル処理する場合に、ストッパ４５の位置を第１の位置ａ０よりも奥方向の第２の位置ａ１まで距離Ｌ１だけスライドする。また用紙Ｐは縦整合制御部７４によって第２の位置ａ１まで搬送される。これにより、横整合板４７ａと４７ｂは、用紙Ｐの中心に近い部分を両サイドから整合するため、用紙Ｐの前端Ｐ１の乱れを抑制することができる。
【００６４】
横整合したあと、ストッパ４５は図１１（ｂ）で示すように、ストッパ制御部７２によって第１の位置ａ０に戻り、その位置でステイプラ１４が矢印ｕ方向に移動しながら用紙ＰにステイプルＳＴを施す。ステイプル処理後は、排出制御部８０によってｑ方向と逆方向に排出される。
【００６５】
ストッパ４５の位置は、ユーザが操作部６２を操作してラージサイズの用紙を選択したときにストッパ制御部７２よって制御され、ストッパ４５の位置を第２の位置ａ１にスライドする。横整合の後は第１の位置ａ０に戻る。
【００６６】
こうして本発明では、ラージサイズの用紙を横整合する場合の用紙の乱れを低減することができる。尚、ステイプラ１４の位置を予め第２の位置ａ１までずらせば同様の効果を得られるが、ステイプラ１４は形状が大きいため、ステイプラ１４の位置を第２の位置ａ１までずらすと後処理装置２の全体の大きさが大きくなり望ましくない。
【００６７】
図１２（ａ），図１２（ｂ）は本発明の他の実施形態を説明する図である。図１２（ａ），図１２（ｂ）は、ステイプラ１４を固定式とし、用紙Ｐのコーナ部に一箇所だけステイプルＳＴを施すものである。
【００６８】
即ち、図１２（ａ）はスモールサイズ（例えばＡ４サイズ）の用紙Ｐが処理トレイ１２に載置され、横整合板４７ａを点線の位置から実線の位置に矢印ｖ１方向にスライドして、用紙Ｐの横方向の整合を行った状態を示している。この状態で、用紙Ｐがｑ方向に搬送されると、ストッパ４５は用紙Ｐの後端Ｐ０の位置を規制する。
【００６９】
次に用紙ＰにステイプルＳＴを施す場合は、図１２（ｂ）に示すように、横整合板４７ａ，４７ｂを矢印ｖ２方向に動かし、横整合した用紙Ｐをステイプラ１４の方向へ距離Ｌ２だけ移動させ、用紙ＰにステイプルＳＴを施す。ステイプル処理後、用紙Ｐは縦整合用のローラ２８ａ，２８ｂの回転や、搬送ベルト５０の移動によってｑ方向と逆方向に排出される。
【００７０】
図１３（ａ）はラージサイズ（例えばＡ３サイズ）の用紙Ｐを固定式のステイプラ１４でステイプルする場合を示している。ラージサイズの用紙Ｐをステイプル処理する場合は、ストッパ４５の位置を第１の位置ａ０から奥方向の第２の位置ａ１までスライドする。これにより、横整合板４７ａと４７ｂは、用紙Ｐの中心に近い部分を整合するため、用紙Ｐの前端Ｐ１の乱れを抑制することができる。
【００７１】
次に、図１３（ｂ）で示すように、ストッパ４５は第２の位置ａ１から第１の位置ａ０に戻り、そのあとで横整合板４７ａ，４７ｂを矢印ｖ２方向に動かす。これにより、横整合した用紙Ｐはステイプラ１４の方向へ移動し、用紙ＰにステイプルＳＴが施される。ステイプル処理後は、ｑ方向と逆方向に排出される。
【００７２】
したがって、ステイプラ１４が固定式であっても、横整合を確実に行ってステイプル処理を施すことが可能となる。
【００７３】
尚、ソート処理を行う場合も同様に、用紙サイズに応じてストッパ４５の位置を制御して正確な横整合処理を行い、その上で横整合板４７ａ，４７ｂを用いてソート処理を行い、用紙Ｐを排出する。
【００７４】
こうして本発明では、スモールサイズの用紙であっても、ラージサイズの用紙であっても整合が乱れることなく、正確な整合と、ステイプル又はソートを実施することができる。
【００７５】
尚、以上の説明に限定されることなく、特許請求の範囲を逸脱しない範囲内で種々の変形が可能である。例えば用紙サイズとしては、Ａ４とＡ３サイズの用紙を処理する場合を説明したが、他のサイズの用紙を処理する場合にも適用可能である。
【図面の簡単な説明】
【００７６】
【図１】本発明の一実施形態に係る用紙処理装置を示す概略構成図。
【図２】本発明の一実施形態に係る用紙処理装置の主要部を示す斜視図。
【図３】本発明の一実施形態に係る用紙処理装置の縦整合用のローラを示す概略斜視図。
【図４】本発明の一実施形態に係る用紙処理装置のパドルを示す説明図。
【図５】本発明の一実施形態に係る用紙処理装置の待機トレイ及び処理トレイを示す概略斜視図。
【図６】本発明の一実施形態に係る用紙処理装置の待機トレイ及び処理トレイを示す平面図。
【図７】本発明の一実施形態に係る用処理装置の横整合板を示す概略斜視図。
【図８】本発明の一実施形態に係る用処理装置のステイプラの動作を概略的に示す説明図。
【図９】本発明の用処理装置の制御系を示すブロック図。
【図１０】本発明の一実施形態に係る用紙処理装置における用紙の整合とステイプルの動作を説明する説明図。
【図１１】本発明の一実施形態に係る用紙処理装置におけるラージサイズの用紙の整合とステイプルの動作を説明する説明図。
【図１２】本発明の一実施形態に係る用紙処理装置の別の実施形態におけるステイプル動作を説明する説明図。
【図１３】本発明の一実施形態に係る用紙処理装置の別の実施形態におけるラージサイズの用紙のステイプル動作を説明する説明図。
【符号の説明】
【００７７】
１…画像形成装置
２…用紙後処理装置
１０…待機トレイ
１２…処理トレイ
１４…ステイプラ
１６，１８…排紙トレイ
２２…入口ローラ
２４…給紙ローラ
２６…回転軸
２８…ローラ
３０…排出ローラ
４０…パドル
４２…はたき部
４３…送り部
４５…ストッパ
４６…横整合装置
４７ａ，４７ｂ…横整合板
４８，４９，５６…モータ
６０…制御部
６２…操作部
７０…主制御部
７２…ストッパ制御部
７４…横整合制御部
７６…縦整合制御部
７８…ステイプル制御部
８０…排出制御部
【図１】
2008189470.tif 000003
【図２】
2008189470.tif 000004
【図３】
2008189470.tif 000005
【図４】
2008189470.tif 000006
【図５】
2008189470.tif 000007
【図６】
2008189470.tif 000008
【図７】
2008189470.tif 000009
【図８】
2008189470.tif 000010
【図９】
2008189470.tif 000011
【図１０】
2008189470.tif 000012
【図１１】
2008189470.tif 000013
【図１２】
2008189470.tif 000014
【図１３】
2008189470.tif 000015